(57)【要約】      （修正有）【課題】折り畳み後の美観性、整然性、簡潔性がよく、携帯が便利で、洗浄も便利で、接続部材が強い耐摩耗性および強度を有する双軸体折り畳み式手持ち扇風機を提供する。【解決手段】上下に回動可能に接続される扇風機ヘッドと扇風機ハンドルを備える双軸体折り畳み式手持ち扇風機であって、扇風機ヘッド１と扇風機ハンドル３との間に独立した全体として「カプセル型」を為す双軸体構造２が設けられ、双軸体構造は、主に「コース型」のシャフトシート２−２と２つの回動軸とで構成され、２つの回動軸は、シャフトシートの内腔の両端にそれぞれ固定され、上端にある回動軸Ｉ（２−１）が扇風機ヘッドに接続され、下端にある回動軸ＩＩ（２−３）が扇風機ハンドルに接続され、２つの回動軸が同時に扇風機ヘッドと扇風機ハンドルの背面側に設けられる。【選択図】図２ｂ
0003226311.tif 000002
【実用新案登録請求の範囲】
【請求項１】
上下に回動可能に接続される扇風機ヘッド（１）と扇風機ハンドル（３）を備える双軸
体折り畳み式手持ち扇風機であって、
前記扇風機ヘッド（１）と前記扇風機ハンドル（３）との間には、独立した全体として
「カプセル型」を為す双軸体構造（２）が設けられ、
前記双軸体構造（２）は、主に「コース型」のシャフトシート（２-２）と２つの回動
軸とで構成され、
前記２つの回動軸は、「コース型」のシャフトシート（２-２）の内腔の両端にそれぞ
れ固定され、そのうちの上端にある回動軸Ｉ（２-１）が扇風機ヘッド（１）に接続され
るとともに、下端にある回動軸ＩＩ（２-３）が扇風機ハンドル（３）に接続され、かつ
、２つの回動軸が同時に扇風機ヘッド（１）と扇風機ハンドル（３）の背面側に設けられ
る、
ことを特徴とする双軸体折り畳み式手持ち扇風機。
【請求項２】
前記扇風機ヘッド（１）と前記扇風機ハンドル（３）のそれぞれの前面には、互いに係
合するように形成されるプラグ（１-１）と差し込み口（３-１）が設けられる、
ことを特徴とする請求項１に記載の双軸体折り畳み式手持ち扇風機。
【請求項３】
前記扇風機ヘッド（１）と前記扇風機ハンドル（３）のそれぞれの背面において互いに
対応する位置には溝が設けられ、前記溝の内部の両側には実装孔が設けられ、
前記双軸体構造（２）の両端が溝内に設けられるとともに実装孔を介して中空の回動軸
に接続される、
ことを特徴とする請求項１または２に記載の双軸体折り畳み式手持ち扇風機。
【請求項４】
前記回動軸Ｉ（２-１）と前記回動軸ＩＩ（２-３）とは共に中空の回動軸であり、
前記扇風機ヘッド（１）と前記扇風機ハンドル（３）との間のケーブル（５）は、中空
の回動軸の軸孔内に配線される、
ことを特徴とする請求項３に記載の双軸体折り畳み式手持ち扇風機。
【請求項５】
前記ケーブル（５）は、上端にある中空の回動軸の軸孔から挿入され、下端にある中空
の回動軸の同じ側の軸孔から引き出されることにより、上部にある扇風機ヘッド（１）内
のモータ（４）と下部にある扇風機ハンドル（３）内の電池（７）とを接続する、
ことを特徴とする請求項４に記載の双軸体折り畳み式手持ち扇風機。
【請求項６】
前記双軸体構造（２）は、ＰＣプラスチック+３０ＧＦ％の材質で強化により製造され
、またはＰＰＳ樹脂を強化した材質で製造される、
ことを特徴とする請求項１または２に記載の双軸体折り畳み式手持ち扇風機。
【考案の詳細な説明】
【技術分野】
【０００１】
本考案は、折り畳み式手持ち扇風機に関し、特に双軸体折り畳み式手持ち扇風機に関す
る。
【背景技術】
【０００２】
現在、生活水準がますます高めるに伴って、消費者は夏の屋外の暑さを緩和するための
方法を切実に求めている。市場において、携帯型の折り畳み式手持ち扇風機は登場されて
おり、そのデザインとして、ハンドルに単一回動軸構造を備えているので、外出で携帯す
る場合、ハンドルを１８０°折り畳むことができるため、扇風機の全体的な形状がより整
然となり、製品の占用空間がより小さくなり、消費者の収納と携帯が便利となる。
【０００３】
また、上記のような単軸体折り畳み式扇風機には、主に以下の問題点と欠点がある。
１）単軸体構造であるため、扇風機を１８０°折り畳むために、軸体構造を扇風機ケー
スから突出させる必要がある。これにより、製品の外輪郭が非常に複雑で不整然となり、
美観性が大幅に低下される。また、使用中に汚れを隠しやすく、洗浄が不便である。
２）単軸体構造は、回路の設計に対する影響が大きく、ケーブルを回動軸を容易に通過
させるために部分的に透かし彫り加工を実施する必要がある。これにより、回動軸にケー
ブルが露出することがあるので、美観性が悪くなるのみならず、ケーブルが外力の影響を
受けて破断するおそれもある。
３）単軸体の折り畳み構造では、折り畳み過程において、ケーブルはハンドルと共に１
８０°折り畳まれるため、ケーブルの折り畳みによる劣化がひどく、折りたたみ回数がや
や多くなると破断しやすくなる。
４）単軸体の接続箇所は製品のケース（扇風機ヘッドや扇風機ハンドル）と一体的に形
成され、材質の強化処理を単独に実施することができないため、回動軸における構造強度
が弱く、回動軸の設計方向でない方向への付勢力を受けると構造的な破断が生じやすく、
これにより製品が壊れられる。
【考案の概要】
【考案が解決しようとする課題】
【０００４】
本考案は、従来の上記欠点を克服するために、折り畳み後の美観性、整然性、簡潔性が
よく、携帯が便利となり、汚れを隠しがたく、その接続部材がより強い耐摩耗性および強
度を有する双軸体折畳み式手持ちド扇風機を提供する。
【課題を解決するための手段】
【０００５】
本考案は、上記の技術問題を解決するために、上下に回動可能に接続される扇風機ヘッ
ドと扇風機ハンドルを備える双軸体折り畳み式手持ち扇風機であって、前記扇風機ヘッド
と前記扇風機ハンドルとの間には、独立した全体として「カプセル型」を為す双軸体構造
が設けられ、前記双軸体構造は、主に「コース型」のシャフトシートと２つの回動軸とで
構成され、２つの回動軸は、「コース型」のシャフトシートの内腔の両端にそれぞれ固定
され、そのうちの上端にある回動軸Ｉが扇風機ヘッドに接続されるとともに、下端にある
回動軸ＩＩが扇風機ハンドルに接続され、かつ、２つの回動軸が同時に扇風機ヘッドと扇
風機ハンドルの背面側に設けられる双軸体折り畳み式手持ち扇風機を提供する。
【０００６】
本考案に係る双軸体折り畳み式手持ち扇風機は、従来技術と比べて、扇風機ヘッドと扇
風機ハンドルとの間には独立した全体として「カプセル型」を為す双軸体構造が設けられ
、当該双軸体構造は、主に「コース型」のシャフトシートと２つの回動軸とで構成され、
２つの回動軸は、「コース型」のシャフトシートの内腔の両端にそれぞれ固定され、その
うちの上端にある回動軸Ｉが扇風機ヘッドに接続されるとともに、下端にある回動軸ＩＩ
が扇風機ハンドルに接続されるので、各回動軸を対向的に９０°回動させることにより、
扇風機全体を１８０°折り畳ませることができる。同時に、２つの回動軸が同時に扇風機
ヘッドと扇風機ハンドルの背面側に設けられるので、双軸体構造全体が扇風機ヘッドと扇
風機ハンドルとの間に内嵌されて突出しないため、製品の外観がより簡潔かつ整然となる
のみならず、汚れを隠すという問題も回避できる。また、本考案における双軸体構造は、
扇風機ヘッドおよび扇風機ハンドルから独立した単独部材であり、扇風機ヘッドと扇風機
ハンドルとの接続部材のみとして機能するので、材質の強化を単独に実施しやすくなる。
これにより、双軸体構造自体はより強い耐摩耗性および強度を有する。同時に、扇風機ヘ
ッドと扇風機ハンドルとの間のケーブルは、「コース型」のシャフトシートの内腔に配線
されることができるので、ケーブルをある程度防護することができる。
【図面の簡単な説明】
【０００７】
以下、本考案について図面及び実施例を参照しながらさらに説明する。  
【図１ａ】本考案の一実施例の斜視図であって、それぞれ折り畳み過程を示すものである。
【図１ｂ】本考案の一実施例の斜視図であって、それぞれ折り畳み過程を示すものである。
【図１ｃ】本考案の一実施例の斜視図であって、それぞれ折り畳み過程を示すものである。
【図２ａ】本考案の一実施例の側面図であって、それぞれ折り畳み過程を示すものである。
【図２ｂ】本考案の一実施例の側面図であって、それぞれ折り畳み過程を示すものである。
【図２ｃ】本考案の一実施例の側面図であって、それぞれ折り畳み過程を示すものである。
【図３】本考案の一実施例の配線を示す図である。
【考案を実施するための形態】
【０００８】
以下、本考案の実施例の目的、技術方案及び利点をより明確にするために、図面を参照
しながら本考案の実施例における技術方案を明瞭かつ完全に説明するが、もちろん、以下
に説明する実施例は本考案の全部の実施例ではなく、その一部の実施例に過ぎない。また
、当業者が本考案の実施例に基づいて、進歩性のある労働をせずに想到し得る他の全ての
実施例は、いずれも本考案の保護範囲に属するものである。
【０００９】
図１及び図２は、本考案の１つの好ましい実施例の構造を示すものであり、図示した双
軸体折り畳み式手持ち扇風機は、上下に回動可能に接続される扇風機ヘッド１と扇風機ハ
ンドル３とを備えている。通常、扇風機ヘッド１の使用者に向かう側の面が正面であり、
その反対側の面が背面である。また、扇風機ヘッド１は、一般的に扇風機ブレードと、扇
風機ハウジングと、モータ４とを備え、モータ４は、扇風機ブレードを回転駆動するため
に扇風機ブレードの中央部に配置される。扇風機ブレードは、１対の扇風機ハウジングで
形成されるキャビティー内に配置される。また、接続を容易にするために、扇風機ハウジ
ングの下端には１つの短棒部が設けられる。また、扇風機ハンドル３も、扇風機ヘッド１
と方向が一致する正面及び背面を有し、その正面に通常操作スイッチや制御ノブなどが設
けられる。また、扇風機ハンドル３の本体は、蓋板スナップにより密閉されたキャビティ
が形成され、キャビティは、電池７及び回路基板６を収容するために空間を区分してもよ
い。
【００１０】
また、図１及び図２に示すように、本実施例では、前記扇風機ヘッド１と前記扇風機ハ
ンドル３との間には、独立した全体として「カプセル型」を為す双軸体構造２が設けられ
、当該双軸体構造２は、主に「コース型」のシャフトシート２−２と２つの回動軸とで構
成され、２つの回動軸は、「コース型」のシャフトシート２−２の内腔の両端にそれぞれ
固定され、そのうちの上端にある回動軸Ｉ ２−１が扇風機ヘッド１に接続されるととも
に、下端にある回動軸ＩＩ ２−３が扇風機ハンドル３に接続され、かつ、２つの回動軸
が同時に扇風機ヘッド１と扇風機ハンドル３の背面側に設けられる。
【００１１】
また、本実施例の更なる改良設計として、前記扇風機ヘッド１と扇風機ハンドル３のそ
れぞれの正面には、互いに係合するように形成される差込プラグ１-１と差し込み口３−
１が設けられる。すなわち、扇風機ヘッド１の短棒部の下端及び扇風機ハンドル３の正面
の先端には、扇風機ヘッド１と扇風機ハンドル３とが突き合わされた際により強固に位置
決めするために係合可能な部材が設けられる。また、折りたたみようとする場合に、やや
付勢して係合を解除することができる。
【００１２】
さらに、前記扇風機ヘッド１と前記扇風機ハンドル３のそれぞれの背面において互いに
対応する位置には溝が設けられ、溝の内部の両側には実装孔が設けられ、双軸体構造２の
両端は溝内に設けられるとともに実装孔を介して中空の回動軸に接続される。また、溝は
、双軸体構造２と扇風機ヘッド１および扇風機ハンドル３との接続をより緊密にし、空間
を節約するとともに、より良好な折りたたみ効果をもたらすことができる。
【００１３】
また、更なる好ましいデザインとして、図３に示すように、前記回動軸I ２−１と回動
軸II ２−３は共に中空の回転軸であり、扇風機ヘッド１と扇風機ハンドル３との間のケ
ーブル５は中空の回動軸の軸孔内に配線される。さらに好ましくは、前記ケーブル５は、
上端にある中空の回動軸の軸孔から挿入され、下端にある中空の回動軸の同じ側の軸孔か
ら引き出されることにより、上部にある扇風機ヘッド１内のモータ４と下部にある扇風機
ハンドル３内の電池７とを接続する。また、回路基板６を有する場合、ケーブル５は、扇
風機ハンドル３内の回路基板６に接続されてもよい。このような軸内の配線により、ケー
ブル５が外部に露出しないので、外力による衝突により損害されるおそれがなくなる。ま
た、ケーブル５は、回動軸において２段に分けて異なる部位にそれぞれ９０°「回転する
」や「ねじる」ようになっており、ケーブル５が１つの箇所で１８０°折り畳まれる場合
と比べてより強い耐劣化性を有するため、折畳回数が多すぎることによりケーブル５が破
断されるのを基本的に回避することができる。
【００１４】
また、材質として、前記双軸体構造２は、ＰＣプラスチック+３０ＧＦ％の材質で強化
により製造され、またはＰＰＳ樹脂を強化した材質で製造されることが好ましい。これに
より、双軸体構造２は、高い耐摩耗性及び強度を有する。
【００１５】
以上で説明したのは本考案の好ましい実施例に過ぎなく、本考案に対して何ら制限され
るものではなく、本考案の技術的思想に従って、以上の実施例に対して簡単な修正および
等価な変更を行ったものはいずれも本考案の保護範囲に含まれる。
【符号の説明】
【００１６】
１…扇風機ヘッド、１−１…差込プラグ、２…双軸体構造、２−１…回動軸Ｉ、２−２
…「コース型」のシャフトシート、２−３…回動軸ＩＩ、３…扇風機ハンドル、３−１…
差し込み口、４…モータ、５…ケーブル、６…回路基板、７…電池。
【図１ａ】
0003226311.tif 000003
【図１ｂ】
0003226311.tif 000004
【図１ｃ】
0003226311.tif 000005
【図２ａ】
0003226311.tif 000006
【図２ｂ】
0003226311.tif 000007
【図２ｃ】
0003226311.tif 000008
【図３】
0003226311.tif 000009